(57)【要約】【課題】予め給電端子にバネ端子を容易に固着接続しておくことができ、ケース側の支持面上に起立壁を設けずに実装できる振動モータの提供。【解決手段】バネ端子７（８）は、半田付けされる取付け部分７ａ（８ａ）、直角状折り曲げ部位Ｍ（Ｎ）を介して後方に延びる第１の部分７ｂ（８ｂ）、第１の後方折り返し位置Ｐ１（Ｑ１）を第１のＵ字状折り曲げ部位Ｘ（Ｙ）に含んで第１の部分７ｂ（８ｂ）の上方で前方へ延在する第２の部分７ｃ（８ｃ）、第１の前方折り返し位置Ｓ１（Ｔ１）を第２のＵ字状折り曲げ部位Ｖ（Ｗ）に含んで第２の部分７ｃ（８ｃ）の上方で後方に延びる第３の部分７ｄ（８ｄ）、及び第２の後方折り返し位置Ｐ２（Ｑ２）を第３のＵ字状折り曲げ部位Ａ（Ｂ）に含んで第３の部分７ｄ（８ｄ）の上方前方へ湾曲して後方の終端位置Ｓ２（Ｔ２）まで延び、給電基板１０に弾接する第４の部分７ｅ（８ｅ）を持つ。【選択図】      図４
2010142065.tif 000002
【特許請求の範囲】
【請求項１】
モータケースから突出したモータ軸に偏心錘を取着し、前記モータケースの反偏心錘側の開口を塞ぐ端蓋を貫通した給電端子にバネ端子を接続した振動モータにおいて、前記モータケースの一側面に沿って前記端蓋よりも反偏心錘側の後方へ延在する下敷き弾性体を備え、前記バネ端子は、前記給電端子と固着接続されて前記端蓋の沿面に延びた取付け部分と、この取り付け部分から折り曲げ部位を介して前記下敷き弾性体の沿面で第１の後方折り返し位置まで後方に延びる第１の部分と、前記第１の後方折り返し位置を第１のＵ字状折り曲げ部位に含んで前記第１の部分の上方で前記取付け部分に達しない第１の前方折り返し位置まで前方に延びる第２の部分と、前記第１の前方折り返し位置を第２のＵ字状折り曲げ部位に含んで前記第２の部分の上方で前記第１の後方折り返し位置を超えた第２の後方折り返し位置まで後方に延びる第３の部分と、前記第２の後方折り返し位置を第３のＵ字状折り曲げ部位に含んで前記第３の部分の上方前方へ湾曲して前記第１の前方折り返し位置よりも後方である終端位置まで延び、給電基板の給電パターンに弾接する第４の部分を有することを特徴とする振動モータ。
【請求項２】
請求項１に記載の振動モータにおいて、前記第４の部分は二股状であることを特徴とする振動モータ。
【請求項３】
請求項１又は請求項２に記載の振動モータの実装構造であって、前記振動モータの前記下敷き弾性体を支持面上に設置し、前記給電基板の位置を前記給電パターンが前記第４の部分に弾接するよう前記モータケースの太さ以下になるまで押し込み配置すると共に、前記バネ端子を前記第２の後方折り返し位置が前記第１の後方折り返し位置寄りに接近するよう傾斜させて成ることを特徴とする振動モータの実装構造。
【発明の詳細な説明】
【技術分野】
【０００１】
本発明は、携帯電話機などに内臓される振動モータに関し、特に、モータケースの後方側で上から給電基板を押し込み配置した振動モータの実装構造において振動モータに対して給電するためのバネ端子の構造に関する。
【背景技術】
【０００２】
特開２０００−２２８８４４の振動モータの実装構造としては、携帯電話機などのケース側の支持面に設けた起立壁に溝部を嵌め込んで設置するためのバネ端子を用い、溝部を境としてバネ端子の一方側の接触部が振動モータの給電端子に弾接すると共に、他方側の上向きジグザグ状の接触部が給電基板の給電パターンを下から弾接するようになっている。
【特許文献１】特開２０００−２２８８４４（図４）
【発明の開示】
【発明が解決しようとする課題】
【０００３】
このような両端弾接形のバネ端子は振動モータの実装に際し初めてその媒介品として使用されるものであるため、予め振動モータの給電端子に半田等で固着接続しておくことができず、実装作業の際の手間を要するばかりか、バネ端子の溝部が嵌る起立壁をケース側の支持面に突設しておかねばならず、ケースの設計自由度も損なっている。
【０００４】
そこで上記問題点に鑑み、本発明の課題は、モータケースの後方側で上から給電基板を押し込み配置する振動モータの実装構造において、予め振動モータの給電端子にバネ端子を容易に固着接続しておくことができ、しかもケース側の支持面上に起立壁を設けずに実装できる振動モータを提供することにある。
【課題を解決するための手段】
【０００５】
本発明は、モータケースから突出したモータ軸に偏心錘を取着し、モータケースの反偏心錘側の開口を塞ぐ端蓋を貫通した給電端子にバネ端子を接続した振動モータにおいて、モータケースの一側面に沿って端蓋よりも反偏心錘側の後方へ延在する下敷き弾性体を備え、バネ端子は、給電端子と固着接続されて端蓋の沿面に延びた取付け部分と、この取り付け部分から折り曲げ部位を介して下敷き弾性体の沿面で第１の後方折り返し位置まで後方に延びる第１の部分と、第１の後方折り返し位置を第１のＵ字状折り曲げ部位に含んで第１の部分の上方で取付け部分に達しない第１の前方折り返し位置まで前方に延びる第２の部分と、第１の前方折り返し位置を第２のＵ字状折り曲げ部位に含んで第２の部分の上方で第１の後方折り返し位置を超えた第２の後方折り返し位置まで後方に延びる第３の部分と、第２の後方折り返し位置を第３のＵ字状折り曲げ部位に含んで第３の部分の上方前方へ湾曲して第１の前方折り返し位置よりも後方である終端位置まで延び、給電基板の給電パターンに弾接する第４の部分を有することを特徴とする。ここで、第４の部分は二股状であることが望ましい。
【０００６】
このようなバネ端子構造を持つ振動モータの実装構造は、振動モータの下敷き弾性体を支持面上に設置し、給電基板の位置を給電パターンが第４の部分に弾接するようモータケースの太さ以下になるまで押し込み配置すると共に、バネ端子を第２の後方折り返し位置が第１の後方折り返し位置寄りに接近するよう傾斜させて成ることを特徴とする。
【０００７】
まず、下敷き弾性体の端蓋から後方においてバネ端子の第１の部分を設置して取付け部分を端蓋に押し当てた状態では、自由状態のバネ端子の第２の部分と第３の部分が前方と後方へ折り返して１往復し、しかも第２の後方折り返し位置が第１の後方折り返し位置を超えた後方にあり、バネ端子の第２部分から第４部分は後方傾斜姿勢でそびえ立っており、これらと取付け部分との隙間が上方で鈍角に拡開した状態となっているので、この拡開した隙間に半田コテのコテ先を差し込み、取付け部分と給電端子の固着接続作業を容易に行い得る。この振動モータの実装においては、既に取付け部分と給電端子とが固着接続されているので、ケース側の支持面上に起立壁を設けずに設置でき、ケース側の設計自由度を確保できる。しかも、給電基板の押し込み配置により第２の部分から第３の部分も潰れるに従い、第２の後方折り返し位置が第１の後方折り返し位置寄りに接近するよう傾斜するため、圧縮状態のバネ端子を起立姿勢に近づけることができ、このため、支持面に対するバネ端子の占有面積の縮小を図ることができる分、ケース側の自由度も増す。
【発明の効果】
【０００８】
本発明によれば、モータケースの後方側で上から給電基板を押し込み配置する振動モータの実装構造において、予め振動モータの給電端子にバネ端子を容易に固着接続しておくことができ、しかもケース側の支持面上に起立壁を設けずに設置できる。
【発明を実施するための最良の形態】
【０００９】
次に、本発明の実施形態を添付図面に基づいて説明する。図１（Ａ）は本発明の一実施例に係る振動モータを示す斜視図、図１（Ｂ）は同振動モータの天地反転状態を示す斜視図、図２（Ａ）は同振動モータの正面図、図２（Ｂ）は同振動モータの左側面図、図３（Ａ）は同振動モータを実装する前の状態を示す右側面図、図３（Ｂ）は同振動モータを実装した状態を示す右側面図、図４（Ａ）は同振動モータに用いる一対のバネ端子を示す平面図、図４（Ｂ）は同バネ端子の正面図、図４（Ｃ）は同バネ端子の底面図である。
【００１０】
本例の振動モータは、円筒状のモータケース１から突出したモータ軸２に取着した偏心錘３と、モータケース１の反偏心錘側の開口を塞ぐ絶縁樹脂製の端蓋（エンドブラケット）４と、この端蓋４を貫通した一対の給電端子５，６と、これら給電端子５，６に対応して半田付けしたバネ端子７，８とを有する。
【００１１】
この振動モータは、モータケース１の外周面の母線方向に沿う合成ゴム製の下敷き弾性板９を付帯し、この下敷き弾性板９は端蓋４よりも反偏心錘側の後方へ延在してバネ端子７，８を載せる張り出し部９ａを持っている。図１（Ｂ）に示す如く、下敷き弾性板９の底面は湾曲状になっており、下敷き弾性板９はモータケース１の前段部に係り止まる前突片９ｂと張り出し部９ａの基端切り欠きＣ１，Ｃ２に係止まる端蓋４の下突片４ａによりモータケース１に取着されている。
【００１２】
本例のバネ端子７（８）は、給電端子５（６）と半田付けされて端蓋４の沿面に延びた取付け部分７ａ（８ａ）と、この取り付け部分７ａ（８ａ）から直角状折り曲げ部位Ｍ（Ｎ）を介して張り出し部９ａの沿面で第１の後方折り返し位置Ｐ１（Ｑ１）まで後方に延びる第１の部分７ｂ（８ｂ）と、第１の後方折り返し位置Ｐ１（Ｑ１）を第１のＵ字状折り曲げ部位Ｘ（Ｙ）に含んで第１の部分７ｂ（８ｂ）の上方で取付け部分７ａ（８ａ）に達しない第１の前方折り返し位置Ｓ１（Ｔ１）まで前方に延びる第２の部分７ｃ（８ｃ）と、第１の前方折り返し位置Ｓ１（Ｔ１）を第２のＵ字状折り曲げ部位Ｖ（Ｗ）に含んで第２の部分７ｃ（８ｃ）の上方で第１の後方折り返し位置Ｐ１（Ｑ１）を超えた第２の後方折り返し位置Ｐ２（Ｑ２）まで後方に延びる第３の部分７ｄ（８ｄ）と、第２の後方折り返し位置Ｐ２（Ｑ２）を第３のＵ字状折り曲げ部位Ａ（Ｂ）に含んで第３の部分７ｄ（８ｄ）の上方前方へ湾曲して第１の前方折り返し位置Ｓ１（Ｔ１）よりも後方である終端位置Ｓ２（Ｔ２）まで延び、給電基板１０の給電パターン（図示せず）に弾接する二股状の導通接触部Ｊ（Ｋ）を持つ第４の部分７ｅ（８ｅ）を有する。
【００１３】
このようなバネ端子７（８）を持つ振動モータの実装構造は、図３（Ｂ）に示す如く、振動モータの下敷き弾性板９をケース側の支持面Ｇ上に設置し、給電基板１０の位置をその給電パターン（図示せず）が第４の部分７ｅ（８ｅ）に弾接するようモータケース１の太さ以下になるまで押し込み配置すると共に、バネ端子７，８を第２の後方折り返し位置Ｐ２（Ｑ２）が第１の後方折り返し位置Ｐ１（Ｑ１）寄りに接近するよう傾斜させて成る。
【００１４】
まず、下敷き弾性板９の端蓋４から後方に延在する張り出し部９ａ上にバネ端子７（８）の第１の部分７ｂ（８ｂ）を設置して取付け部分７ａ（８ａ）を端蓋４に押し当てた状態では、自由状態のバネ端子７（８）の第２の部分７ｃ（８ｃ）と第３の部分７ｄ（８ｄ）が前方と後方へ折り返して１往復し、しかも第２の後方折り返し位置Ｐ２（Ｑ２）が第１の後方折り返し位置Ｐ１（Ｑ１）を超えた後方にあり、バネ端子の第２部分から第４部分は後方傾斜姿勢でそびえ立っており、図３（Ａ）に示す如く、これらと取付け部分７ａ（８ａ）との隙間Ｚが上方で鈍角に拡開しているので、この拡開した隙間Ｚに半田コテのコテ先を差し込み、取付け部分７ａ（８ａ）と給電端子５（６）の半田接続作業を容易に行い得る。この振動モータの実装においては、既に取付け部分７ａ（８ａ）と給電端子５（６）とが半田接続されているので、ケース側の支持面Ｇ上に起立壁を設けずに設置でき、ケース側の設計自由度を確保できる。しかも、給電基板１０の押し込み配置により第２の部分７ｃ（８ｃ）から第４の部分７ｅ（８ｅ）も潰れるに従い、第２の後方折り返し位置Ｐ２（Ｑ２）が第１の後方折り返し位置Ｐ１（Ｑ１）寄りに接近するよう傾斜するため、圧縮状態のバネ端子７（８）を起立姿勢に近づけることができ、このため、支持面Ｇに対するバネ端子７（８）の占有面積の縮小を図ることができる分、ケース側の自由度も増す。
【００１５】
なお、第４の部分７ｅ（８ｅ）を二股状に形成するのは、弾性係数が高まり、潰れ易くなり、給電基板１０の給電パターン（図示せず）との接触面積を確保できると共に、第２の後方折り返し位置Ｐ２（Ｑ２）が第１の後方折り返し位置Ｐ１（Ｑ１）寄りに接近するよう傾斜するのにも役立っている。
【図面の簡単な説明】
【００１６】
【図１】（Ａ）は本発明の一実施例に係るディスク駆動装置を示す斜視図、（Ｂ）は同振動モータの天地反転状態を示す斜視図である。
【図２】（Ａ）は同振動モータの正面図、（Ｂ）は同振動モータの左側面図である。
【図３】（Ａ）は同振動モータを実装する前の状態を示す右側面図、（Ｂ）は同振動モータを実装した状態を示す右側面図である。
【図４】（Ａ）は同振動モータに用いる一対のバネ端子を示す平面図、（Ｂ）は同バネ端子の正面図、（Ｃ）は同バネ端子の底面図である。
【符号の説明】
【００１７】
１…モータケース
２…モータ軸
３…偏心錘
４…端蓋
４ａ…下突片
５，６…給電端子
７，８…バネ端子
７ａ，８ａ…取付け部分
７ｂ，８ｂ…第１の部分
７ｃ，８ｃ…第２の部分
７ｄ，８ｄ…第３の部分
７ｅ，８ｅ…第４の部分
９…下敷き弾性板
９ａ…張り出し部
９ｂ…前突片
１０…給電基板
Ａ，Ｂ…第３のＵ字状折り曲げ部位
Ｃ１，Ｃ２…基端切り欠き
Ｇ…支持面
Ｊ，Ｋ…導通接触部
Ｍ，Ｎ…直角状折り曲げ部位
Ｐ１，Ｑ１…第１の後方折り返し位置
Ｐ２，Ｑ２…第２の後方折り返し位置
Ｓ１，Ｔ１…第１の前方折り返し位置
Ｓ２，Ｔ２…後方の終端位置
Ｖ，Ｗ…第２のＵ字状折り曲げ部位
Ｘ，Ｙ…第１のＵ字状折り曲げ部位
Ｚ…隙間
【図１】
2010142065.tif 000003
【図２】
2010142065.tif 000004
【図３】
2010142065.tif 000005
【図４】
2010142065.tif 000006